(57)【要約】【課題】交換網とＩＰ網とが混在した環境下で転送サービスを構築するときに、ネットワークリソースの使用効率を向上させること。【解決手段】通信システムは、発信者端末２４ａを収容する交換網２の発信者網、転送元端末２４ｂを収容する交換網２の転送元網、および、転送先端末２４ｃを収容するＩＰ網１の転送先網が接続されて構成されており、転送元網の加入者交換機２２ｂが、発信者端末２４ａから転送元端末２４ｂへの第１呼に対するＲＢＴ（Ring Back Tone）を発信者端末２４ａに返答し、転送先網内で転送元網との通信を中継する中継ＧＷ１１が、転送元端末２４ｂを収容する転送元網の装置から転送先端末２４ｃへの第２呼に対するＲＢＴを発信者端末２４ａに返答する。【選択図】図１
2011109319.tif 000002
【特許請求の範囲】
【請求項１】
発信者端末から転送元端末への発呼を転送先端末へ転送することで、前記発信者端末と前記転送先端末との呼接続を実現する転送サービスを行うための通信システムであって、
前記通信システムは、前記発信者端末を収容する発信者網、前記転送元端末を収容する転送元網、および、前記転送先端末を収容する転送先網について、各網の網種別がＩＰ網および交換網のいずれか一方であることにより、前記通信システムとしてＩＰ網および交換網が混在しており、
前記発信者端末から前記転送元端末への第１呼に対するＲＢＴ（Ring Back Tone）を前記発信者端末に返答する装置について、前記転送元網が交換網であるときには、前記転送元網の加入者交換機が返答し、前記発信者網が交換網かつ前記転送元網がＩＰ網であるときには、前記転送元網内で前記発信者網との通信を中継する中継ＧＷが返答し、前記発信者網がＩＰ網かつ前記転送元網がＩＰ網であるときには、前記発信者網のＩＰ変換装置が返答し、
前記転送元端末を収容する前記転送元網の装置から前記転送先端末への第２呼に対するＲＢＴを前記発信者端末に返答する装置について、前記転送先網が交換網であるときには、前記転送先網の加入者交換機が返答し、前記転送元網が交換網かつ前記転送先網がＩＰ網であるときには、前記転送先網内で前記転送元網との通信を中継する前記中継ＧＷが返答し、前記転送元網がＩＰ網かつ前記転送先網がＩＰ網であるときには、前記転送元網のＭＳ（Media Server）が返答することを特徴とする
通信システム。
【請求項２】
前記通信システムは、さらに、前記転送元網の前記ＭＳに収容されるＡＳを含めて構成され、前記ＡＳは、ＭＳ制御、ＲＢＴ送出制御、および、転送制御を、前記転送元端末を収容する前記転送元網の加入者サーバから代行することを特徴とする
請求項１に記載の通信システム。
【請求項３】
前記転送元端末を収容する前記転送元網の装置は、さらに、前記第１呼に対するＲＢＴの送信処理と、前記第２呼に対するＲＢＴの送信処理との間に、第１呼の転送を通知するガイダンスを前記発信者端末に送信するとともに、前記第２呼に対するＲＢＴの送信処理の後に、第１呼の転送の通知が完了したことを通知するガイダンスを前記発信者端末に送信することを特徴とする
請求項１または請求項２に記載の通信システム。
【請求項４】
前記転送元端末を収容する前記転送元網の装置は、さらに、前記第２呼に対するＲＢＴの送信処理の後に、第２呼の転送を通知するガイダンスを前記転送元端末に送信することを特徴とする
請求項１ないし請求項３のいずれか１項に記載の通信システム。
【請求項５】
発信者端末から転送元端末への発呼を転送先端末へ転送することで、前記発信者端末と前記転送先端末との呼接続を実現する転送サービスを行うための通信システムによる転送方法であって、
前記通信システムは、前記発信者端末を収容する交換網の発信者網、前記転送元端末を収容する交換網の転送元網、および、前記転送先端末を収容するＩＰ網の転送先網が接続されて構成されており、
前記転送元網の加入者交換機が、前記発信者端末から前記転送元端末への第１呼に対するＲＢＴ（Ring Back Tone）を前記発信者端末に返答し、
前記転送先網内で前記転送元網との通信を中継する中継ＧＷが、前記転送元端末を収容する前記転送元網の装置から前記転送先端末への第２呼に対するＲＢＴを前記発信者端末に返答することを特徴とする
転送方法。
【請求項６】
発信者端末から転送元端末への発呼を転送先端末へ転送することで、前記発信者端末と前記転送先端末との呼接続を実現する転送サービスを行うための通信システムによる転送方法であって、
前記通信システムは、前記発信者端末を収容する交換網の発信者網、前記転送元端末を収容するＩＰ網の転送元網、および、前記転送先端末を収容する交換網の転送先網が接続されて構成されており、
前記転送元網内で前記発信者網との通信を中継する中継ＧＷが、前記発信者端末から前記転送元端末への第１呼に対するＲＢＴ（Ring Back Tone）を前記発信者端末に返答し、
前記転送先網の加入者交換機が、前記転送元端末を収容する前記転送元網の装置から前記転送先端末への第２呼に対するＲＢＴを前記発信者端末に返答することを特徴とする
転送方法。
【請求項７】
発信者端末から転送元端末への発呼を転送先端末へ転送することで、前記発信者端末と前記転送先端末との呼接続を実現する転送サービスを行うための通信システムによる転送方法であって、
前記通信システムは、前記発信者端末を収容する交換網の発信者網、前記転送元端末を収容するＩＰ網の転送元網、および、前記転送先端末を収容するＩＰ網の転送先網が接続されて構成されており、
前記転送元網内で前記発信者網との通信を中継する中継ＧＷが、前記発信者端末から前記転送元端末への第１呼に対するＲＢＴ（Ring Back Tone）を前記発信者端末に返答し、
前記転送元網のＭＳ（Media Server）が、前記転送元端末を収容する前記転送元網の装置から前記転送先端末への第２呼に対するＲＢＴを前記発信者端末に返答することを特徴とする
転送方法。
【請求項８】
発信者端末から転送元端末への発呼を転送先端末へ転送することで、前記発信者端末と前記転送先端末との呼接続を実現する転送サービスを行うための通信システムによる転送方法であって、
前記通信システムは、前記発信者端末を収容するＩＰ網の発信者網、前記転送元端末を収容する交換網の転送元網、および、前記転送先端末を収容する交換網の転送先網が接続されて構成されており、
前記転送元網の加入者交換機が、前記発信者端末から前記転送元端末への第１呼に対するＲＢＴ（Ring Back Tone）を前記発信者端末に返答し、
前記転送先網の加入者交換機が、前記転送元端末を収容する前記転送元網の装置から前記転送先端末への第２呼に対するＲＢＴを前記発信者端末に返答することを特徴とする
転送方法。
【請求項９】
発信者端末から転送元端末への発呼を転送先端末へ転送することで、前記発信者端末と前記転送先端末との呼接続を実現する転送サービスを行うための通信システムによる転送方法であって、
前記通信システムは、前記発信者端末を収容するＩＰ網の発信者網、前記転送元端末を収容する交換網の転送元網、および、前記転送先端末を収容するＩＰ網の転送先網が接続されて構成されており、
前記転送元網の加入者交換機が、前記発信者端末から前記転送元端末への第１呼に対するＲＢＴ（Ring Back Tone）を前記発信者端末に返答し、
前記転送先網内で前記転送元網との通信を中継する中継ＧＷが、前記転送元端末を収容する前記転送元網の装置から前記転送先端末への第２呼に対するＲＢＴを前記発信者端末に返答することを特徴とする
転送方法。
【請求項１０】
発信者端末から転送元端末への発呼を転送先端末へ転送することで、前記発信者端末と前記転送先端末との呼接続を実現する転送サービスを行うための通信システムによる転送方法であって、
前記通信システムは、前記発信者端末を収容するＩＰ網の発信者網、前記転送元端末を収容するＩＰ網の転送元網、および、前記転送先端末を収容する交換網の転送先網が接続されて構成されており、
前記発信者網の前記発信者端末を収容するＩＰ変換装置が、前記発信者端末から前記転送元端末への第１呼に対するＲＢＴ（Ring Back Tone）を前記発信者端末に返答し、
前記転送先網の加入者交換機が、前記転送元端末を収容する前記転送元網の装置から前記転送先端末への第２呼に対するＲＢＴを前記発信者端末に返答することを特徴とする
転送方法。
【請求項１１】
前記通信システムは、さらに、前記転送元網のＭＳに収容されるＡＳ（Applicaton Server）を含めて構成され、
前記ＡＳが、前記発信者端末を収容する前記発信者網の装置に対して転送先情報を送信し、前記転送先端末を収容する前記転送先網の装置に対して発信者情報を送信し、前記転送元端末を収容する前記転送元網の装置に対して、ＳＩＰ（Session Initiation Protocol）のＲｅ−ＩＮＶＩＴＥメッセージを送信することで、第１呼の転送を指示することを特徴とする
請求項５ないし請求項１０のいずれか１項に記載の転送方法。
【請求項１２】
前記通信システムは、さらに、前記転送元網の前記ＭＳに収容されるＡＳ（Applicaton Server）を含めて構成され、
前記ＡＳが、前記転送元端末を収容する前記転送元網の装置に対して、ＳＩＰ（Session Initiation Protocol）のＵＰＤＡＴＥメッセージを送信することで、第１呼の転送を指示することを特徴とする
請求項５ないし請求項１０のいずれか１項に記載の転送方法。
【請求項１３】
前記通信システムは、さらに、前記転送元網の前記ＭＳに収容されるＡＳ（Applicaton Server）を含めて構成され、前記ＡＳが、前記転送元端末を収容する前記転送元網の加入者サーバに対して、ＳＩＰ（Session Initiation Protocol）のＲＥＦＥＲメッセージを送信し、加入者サーバがＡＳに代わって、前記発信者端末を収容する前記発信者網の装置に対してＵＰＤＡＴＥを送信し、前記転送先端末を収容する前記転送先網の装置に対してＲｅ−ＩＮＶＩＴＥあるいはＵＰＤＡＴＥを送信することで、第１呼の転送を指示することを特徴とする
請求項５ないし請求項１０のいずれか１項に記載の転送方法。
【請求項１４】
前記転送元端末を収容する前記転送元網の装置は、さらに、前記第１呼に対するＲＢＴの送信処理と、前記第２呼に対するＲＢＴの送信処理との間に、第１呼の転送を通知するガイダンスを前記発信者端末に送信するとともに、前記第２呼に対するＲＢＴの送信処理の後に、第１呼の転送の通知が完了したことを通知するガイダンスを前記発信者端末に送信することを特徴とする
請求項５ないし請求項１３のいずれか１項に記載の転送方法。
【請求項１５】
前記転送元端末を収容する前記転送元網の装置は、さらに、前記第２呼に対するＲＢＴの送信処理の後に、第２呼の転送を通知するガイダンスを前記転送元端末に送信することを特徴とする
請求項５ないし請求項１３のいずれか１項に記載の転送方法。
【発明の詳細な説明】
【技術分野】
【０００１】
本発明は、通信システム、および、転送方法に関する。
【背景技術】
【０００２】
電話サービスの一つである転送サービスは、電話の応答者の電話番号が転送元から転送先へと変更された後に、電話の発信者が転送元の電話番号に発信したときに、転送先の電話番号をガイダンスで通知するとともに、転送先の電話番号へと呼の転送を行うサービスである。なお、応答者の電話番号の変更は、例えば、応答者の引っ越しに伴う移転や、災害等による一時的避難などにより発生する。
【０００３】
転送サービス（１）の移転時転送サービスは、移転などにより電話番号が変わった場合、移転案内による新電話番号の案内を行った後、そのまま待つ事により、新電話番号への接続を行うサービスであり、このサービスの対象加入者は、旧電話番号の廃止オーダ投入がなされた加入者となる。
【０００４】
転送サービス（２）の災害時転送サービスは、大規模地震等により被災し、避難先等に避難した場合に、被災元の電話への着信に対して転送案内により避難先電話番号の案内を行った後、そのまま待つ事により、新電話番号への接続を行うサービスであり、対象加入者に対し、現在の電話番号の廃止オーダ投入は行われない。（２）災害時転送サービスは、移転時転送サービスの契約者を被災者、移転元を被災元、移転先を避難先と置き換えることにより、（１）移転時転送サービスと同様の方法で実現される。
【０００５】
特許文献１では、レガシーネットワークである交換網（ＰＳＴＮ：Public Switched Telephone Network）を対象とした転送サービスの一例が記載されている。
【先行技術文献】
【特許文献】
【０００６】
【特許文献１】特開平０８−２７４８８７号公報
【発明の概要】
【発明が解決しようとする課題】
【０００７】
インターネットプロトコル技術により構築するＩＰ（Internet Protocol）網が普及している。そして、ＩＰ網と交換網とにまたがって転送サービスを実現させることが望まれている。そして、２つの網にまたがった転送サービスでは、従来の交換網部分に影響を与えずに、転送サービスを提供することが必要である。また、転送サービスのユーザ（発信者および着信者）は、従来の交換網でのサービスの操作手順をそのまま継承して、ＩＰ網でも転送サービスを利用することができれば、新たな負担を感じなくて済む。
【０００８】
しかし、交換網の転送サービスの処理手順を、そのままＩＰ網に適用すると、２つの網の性質の違いから問題が発生する。交換網は、回線交換型のネットワークであり、ある一定時間において、特定のユーザ間の呼接続が交換網のリソースを占有することを前提に網設計がなされている。一方、ＩＰ網は、パケット通信型のネットワークであり、特定のユーザ間の呼接続がリソースを占有するとなると、他のユーザ間の通信が困難となってしまう。つまり、ＩＰ網では、リソースの占有は極力避けるべきであり、交換網での転送サービスの手順をそのまま適用すると、ＩＰ網のリソースの使用効率が低下してしまう。
【０００９】
そこで、本発明は、前記した問題を解決し、交換網とＩＰ網とが混在した環境下で転送サービスを構築するときに、ネットワークリソースの使用効率を向上させることを、主な目的とする。
【課題を解決するための手段】
【００１０】
前記課題を解決するために、本発明は、発信者端末から転送元端末への発呼を転送先端末へ転送することで、前記発信者端末と前記転送先端末との呼接続を実現する転送サービスを行うための通信システムであって、前記通信システムが、前記発信者端末を収容する発信者網、前記転送元端末を収容する転送元網、および、前記転送先端末を収容する転送先網について、各網の網種別がＩＰ網および交換網のいずれか一方であることにより、前記通信システムとしてＩＰ網および交換網が混在しており、前記発信者端末から前記転送元端末への第１呼に対するＲＢＴ（Ring Back Tone）を前記発信者端末に返答する装置について、前記転送元網が交換網であるときには、前記転送元網の加入者交換機が返答し、前記発信者網が交換網かつ前記転送元網がＩＰ網であるときには、前記転送元網内で前記発信者網との通信を中継する中継ＧＷが返答し、前記発信者網がＩＰ網かつ前記転送元網がＩＰ網であるときには、前記発信者網のＩＰ変換装置が返答し、前記転送元端末を収容する前記転送元網の装置から前記転送先端末への第２呼に対するＲＢＴを前記発信者端末に返答する装置について、前記転送先網が交換網であるときには、前記転送先網の加入者交換機が返答し、前記転送元網が交換網かつ前記転送先網がＩＰ網であるときには、前記転送先網内で前記転送元網との通信を中継する前記中継ＧＷが返答し、前記転送元網がＩＰ網かつ前記転送先網がＩＰ網であるときには、前記転送元網のＭＳ（Media Server）が返答することを特徴とする。
【００１１】
本発明は、前記通信システムが、さらに、前記転送元網の前記ＭＳに収容されるＡＳを含めて構成され、前記ＡＳが、ＭＳ制御、ＲＢＴ送出制御、および、転送制御を、前記転送元端末を収容する前記転送元網の加入者サーバから代行することを特徴とする。
【００１２】
本発明は、前記転送元端末を収容する前記転送元網の装置が、さらに、前記第１呼に対するＲＢＴの送信処理と、前記第２呼に対するＲＢＴの送信処理との間に、第１呼の転送を通知するガイダンスを前記発信者端末に送信するとともに、前記第２呼に対するＲＢＴの送信処理の後に、第１呼の転送の通知が完了したことを通知するガイダンスを前記発信者端末に送信することを特徴とする。
【００１３】
本発明は、前記転送元端末を収容する前記転送元網の装置が、さらに、前記第２呼に対するＲＢＴの送信処理の後に、第２呼の転送を通知するガイダンスを前記転送元端末に送信することを特徴とする。
【００１４】
本発明は、発信者端末から転送元端末への発呼を転送先端末へ転送することで、前記発信者端末と前記転送先端末との呼接続を実現する転送サービスを行うための通信システムによる転送方法であって、前記通信システムが、前記発信者端末を収容する交換網の発信者網、前記転送元端末を収容する交換網の転送元網、および、前記転送先端末を収容するＩＰ網の転送先網が接続されて構成されており、前記転送元網の加入者交換機が、前記発信者端末から前記転送元端末への第１呼に対するＲＢＴ（Ring Back Tone）を前記発信者端末に返答し、前記転送先網内で前記転送元網との通信を中継する中継ＧＷが、前記転送元端末を収容する前記転送元網の装置から前記転送先端末への第２呼に対するＲＢＴを前記発信者端末に返答することを特徴とする。
【００１５】
本発明は、発信者端末から転送元端末への発呼を転送先端末へ転送することで、前記発信者端末と前記転送先端末との呼接続を実現する転送サービスを行うための通信システムによる転送方法であって、前記通信システムが、前記発信者端末を収容する交換網の発信者網、前記転送元端末を収容するＩＰ網の転送元網、および、前記転送先端末を収容する交換網の転送先網が接続されて構成されており、前記転送元網内で前記発信者網との通信を中継する中継ＧＷが、前記発信者端末から前記転送元端末への第１呼に対するＲＢＴ（Ring Back Tone）を前記発信者端末に返答し、前記転送先網の加入者交換機が、前記転送元端末を収容する前記転送元網の装置から前記転送先端末への第２呼に対するＲＢＴを前記発信者端末に返答することを特徴とする。
【００１６】
本発明は、発信者端末から転送元端末への発呼を転送先端末へ転送することで、前記発信者端末と前記転送先端末との呼接続を実現する転送サービスを行うための通信システムによる転送方法であって、前記通信システムが、前記発信者端末を収容する交換網の発信者網、前記転送元端末を収容するＩＰ網の転送元網、および、前記転送先端末を収容するＩＰ網の転送先網が接続されて構成されており、前記転送元網内で前記発信者網との通信を中継する中継ＧＷが、前記発信者端末から前記転送元端末への第１呼に対するＲＢＴ（Ring Back Tone）を前記発信者端末に返答し、前記転送元網のＭＳ（Media Server）が、前記転送元端末を収容する前記転送元網の装置から前記転送先端末への第２呼に対するＲＢＴを前記発信者端末に返答することを特徴とする。
【００１７】
本発明は、発信者端末から転送元端末への発呼を転送先端末へ転送することで、前記発信者端末と前記転送先端末との呼接続を実現する転送サービスを行うための通信システムによる転送方法であって、前記通信システムが、前記発信者端末を収容するＩＰ網の発信者網、前記転送元端末を収容する交換網の転送元網、および、前記転送先端末を収容する交換網の転送先網が接続されて構成されており、前記転送元網の加入者交換機が、前記発信者端末から前記転送元端末への第１呼に対するＲＢＴ（Ring Back Tone）を前記発信者端末に返答し、前記転送先網の加入者交換機が、前記転送元端末を収容する前記転送元網の装置から前記転送先端末への第２呼に対するＲＢＴを前記発信者端末に返答することを特徴とする。
【００１８】
本発明は、発信者端末から転送元端末への発呼を転送先端末へ転送することで、前記発信者端末と前記転送先端末との呼接続を実現する転送サービスを行うための通信システムによる転送方法であって、前記通信システムが、前記発信者端末を収容するＩＰ網の発信者網、前記転送元端末を収容する交換網の転送元網、および、前記転送先端末を収容するＩＰ網の転送先網が接続されて構成されており、前記転送元網の加入者交換機が、前記発信者端末から前記転送元端末への第１呼に対するＲＢＴ（Ring Back Tone）を前記発信者端末に返答し、前記転送先網内で前記転送元網との通信を中継する中継ＧＷが、前記転送元端末を収容する前記転送元網の装置から前記転送先端末への第２呼に対するＲＢＴを前記発信者端末に返答することを特徴とする。
【００１９】
本発明は、発信者端末から転送元端末への発呼を転送先端末へ転送することで、前記発信者端末と前記転送先端末との呼接続を実現する転送サービスを行うための通信システムによる転送方法であって、前記通信システムが、前記発信者端末を収容するＩＰ網の発信者網、前記転送元端末を収容するＩＰ網の転送元網、および、前記転送先端末を収容する交換網の転送先網が接続されて構成されており、前記発信者網の前記発信者端末を収容するＩＰ変換装置が、前記発信者端末から前記転送元端末への第１呼に対するＲＢＴ（Ring Back Tone）を前記発信者端末に返答し、前記転送先網の加入者交換機が、前記転送元端末を収容する前記転送元網の装置から前記転送先端末への第２呼に対するＲＢＴを前記発信者端末に返答することを特徴とする。
【００２０】
本発明は、前記通信システムが、さらに、前記転送元網のＭＳに収容されるＡＳ（Applicaton Server）を含めて構成され、前記ＡＳが、前記発信者端末を収容する前記発信者網の装置に対して転送先情報を送信し、前記転送先端末を収容する前記転送先網の装置に対して発信者情報を送信することで、第１呼の転送を指示することを特徴とする。
本発明は、前記通信システムが、さらに、前記転送元網のＭＳに収容されるＡＳ（Applicaton Server）を含めて構成され、前記ＡＳが、前記転送元端末を収容する前記転送元網の装置に対して、ＳＩＰ（Session Initiation Protocol）のＲｅ−ＩＮＶＩＴＥメッセージを送信することで、第１呼の転送を指示することを特徴とする。
【００２１】
本発明は、前記通信システムが、さらに、前記転送元網の前記ＭＳに収容されるＡＳ（Applicaton Server）を含めて構成され、前記ＡＳが、前記転送元端末を収容する前記転送元網の装置に対して、ＳＩＰ（Session Initiation Protocol）のＵＰＤＡＴＥメッセージを送信することで、第１呼の転送を指示することを特徴とする。
【００２２】
本発明は、前記通信システムが、さらに、前記転送元網の前記ＭＳに収容されるＡＳ（Applicaton Server）を含めて構成され、前記ＡＳが、前記転送元端末を収容する前記転送元網の加入者サーバに対して、ＳＩＰ（Session Initiation Protocol）のＲＥＦＥＲメッセージを送信し、加入者サーバがＡＳに代わって、前記発信者端末を収容する前記発信者網の装置に対してＵＰＤＡＴＥを送信し、前記転送先端末を収容する前記転送先網の装置に対してＲｅ−ＩＮＶＩＴＥあるいはＵＰＤＡＴＥを送信することで、第１呼の転送を指示することを特徴とする。
【００２３】
本発明は、前記転送元端末を収容する前記転送元網の装置が、さらに、前記第１呼に対するＲＢＴの送信処理と、前記第２呼に対するＲＢＴの送信処理との間に、第１呼の転送を通知するガイダンスを前記発信者端末に送信するとともに、前記第２呼に対するＲＢＴの送信処理の後に、第１呼の転送の通知が完了したことを通知するガイダンスを前記発信者端末に送信することを特徴とする。
【００２４】
本発明は、前記転送元端末を収容する前記転送元網の装置が、さらに、前記第２呼に対するＲＢＴの送信処理の後に、第２呼の転送を通知するガイダンスを前記転送元端末に送信することを特徴とする。
【発明の効果】
【００２５】
本発明によれば、交換網とＩＰ網とが混在した環境下で転送サービスを構築するときに、ネットワークリソースの使用効率を向上させることができる。
【図面の簡単な説明】
【００２６】
【図１】本発明の一実施形態に関する通信システムを示す構成図である。
【図２】本発明の一実施形態に関するパターンＰ１（交換網→交換網→交換網）での転送手順の概要を示す説明図である。
【図３】本発明の一実施形態に関するパターンＰ８（ＩＰ網→ＩＰ網→ＩＰ網）での転送手順の概要を示す説明図である。
【図４】本発明の一実施形態に関する各パターンの転送手順の概要を示すフローチャートである。
【図５】本発明の一実施形態に関するパターンＰ１（交換網→交換網→交換網）での転送手順を示すフローチャートである。
【図６】本発明の一実施形態に関するパターンＰ２（交換網→交換網→ＩＰ網）での転送手順を示すフローチャートである。
【図７】本発明の一実施形態に関するパターンＰ３（交換網→ＩＰ網→交換網）での転送手順の前半を示すフローチャートである。
【図８】本発明の一実施形態に関するパターンＰ３（交換網→ＩＰ網→交換網）での転送手順の後半を示すフローチャートである。
【図９】本発明の一実施形態に関するパターンＰ４（交換網→ＩＰ網→ＩＰ網）での転送手順の前半を示すフローチャートである。
【図１０】本発明の一実施形態に関するパターンＰ４（交換網→ＩＰ網→ＩＰ網）での転送手順の後半を示すフローチャートである。
【図１１】本発明の一実施形態に関するパターンＰ５（ＩＰ網→交換網→交換網）での転送手順を示すフローチャートである。
【図１２】本発明の一実施形態に関するパターンＰ６（ＩＰ網→交換網→ＩＰ網）での転送手順を示すフローチャートである。
【図１３】本発明の一実施形態に関するパターンＰ７（ＩＰ網→ＩＰ網→交換網）での転送手順の前半を示すフローチャートである。
【図１４】本発明の一実施形態に関するパターンＰ７（ＩＰ網→ＩＰ網→交換網）での転送手順の後半を示すフローチャートである。
【図１５】本発明の一実施形態に関するパターンＰ８（ＩＰ網→ＩＰ網→ＩＰ網）での転送手順の前半を示すフローチャートである。
【図１６】本発明の一実施形態に関するパターンＰ８（ＩＰ網→ＩＰ網→ＩＰ網）での転送手順の後半を示すフローチャートである。
【図１７】本発明の一実施形態に関するパターンＰ８でＡＳ（Application Server）を用いるＲＥ−ＩＮＶＩＴＥ方式の第１呼接続シーケンスを示すフローチャートである。
【図１８】本発明の一実施形態に関するパターンＰ８でＡＳを用いるＲＥ−ＩＮＶＩＴＥ方式の第２呼接続シーケンスを示すフローチャートである。
【図１９】本発明の一実施形態に関するパターンＰ８でＡＳを用いるＲＥ−ＩＮＶＩＴＥ方式の第１呼および第２呼の相互接続シーケンスを示すフローチャートである。
【図２０】本発明の一実施形態に関するパターンＰ８でＡＳを用いるＲＥＦＥＲ方式の第１呼および第２呼の相互接続シーケンスを示すフローチャートである。
【発明を実施するための形態】
【００２７】
以下、本発明の一実施形態を、図面を参照して詳細に説明する。
【００２８】
図１は、通信システムを示す構成図である。通信システムは、ＩＰ網１と、交換網２とを接続することにより構成される。以下、ＩＰ網１の装置には１０番台の符号を付し、交換網２の装置には２０番台の符号を付す。なお、通信システムの各装置は、それぞれＣＰＵ、メモリ、および、ネットワークインタフェースを備えるコンピュータとして構成される。
【００２９】
ＩＰ網１は、中継ＧＷ（Gateway）１１と、各加入者サーバ（加入者サーバ１２ａ、加入者サーバ１２ｂ、加入者サーバ１２ｃ）と、各ＩＰ変換装置（ＩＰ変換装置１３ａ、ＩＰ変換装置１３ｂ、ＩＰ変換装置１３ｃ）と、各利用者端末（発信者端末１４ａ、転送元端末１４ｂ、転送先端末１４ｃ）と、ＡＳ１５と、ＭＳ１６と、を含めて構成される。ＩＰ網１の各装置の機能の詳細は、図３の説明で明らかにする。
【００３０】
交換網２は、中継交換機２１と、各加入者交換機（加入者交換機２２ａ、加入者交換機２２ｂ、加入者交換機２２ｃ）と、各利用者端末（発信者端末２４ａ、転送元端末２４ｂ、転送先端末２４ｃ）と、ガイダンス装置２５と、を含めて構成される。交換網２の各装置の機能の詳細は、図２の説明で明らかにする。
【００３１】
ＩＰ網１および交換網２の各装置は、それぞれ、発信者網の装置、転送元網の装置、転送先網の装置、および、網接続用の装置のうちの１つの網の装置に分類される。
発信者網の装置は、符号の末尾が「ａ」である装置であり、ＩＰ網１の装置（加入者サーバ１２ａ、ＩＰ変換装置１３ａ、発信者端末１４ａ）と、交換網２の装置（加入者交換機２２ａ、発信者端末２４ａ）とが該当する。
転送元網の装置は、符号の末尾が「ｂ」である装置であり、ＩＰ網１の装置（加入者サーバ１２ｂ、ＩＰ変換装置１３ｂ、転送元端末１４ｂ）と、交換網２の装置（加入者交換機２２ｂ、転送元端末２４ｂ）とが該当する。さらに、ＡＳ１５、ＭＳ１６および、ガイダンス装置２５も、転送元網の装置に該当する。
転送先網の装置は、符号の末尾が「ｃ」である装置であり、ＩＰ網１の装置（加入者サーバ１２ｃ、ＩＰ変換装置１３ｃ、発信者端末１４ｃ）と、交換網２の装置（加入者交換機２２ｃ、転送先端末２４ｃ）とが該当する。
網接続用の装置は、ＩＰ網１および交換網２を接続するために境界に位置するゲートウェイ装置であり、中継ＧＷ１１および中継交換機２１が該当する。
【００３２】
以上説明した図１の通信システムにおいて、転送サービスを実現するには、発信者、転送元、および、転送先は、それぞれ１つずつ存在すればよい。よって、発信者網、転送元網、および、転送先網それぞれについて、その網種別が２通りずつ（ＩＰ網１、交換網２）存在することとなる。つまり、発信者網（２通り）×転送元網（２通り）×転送先網（２通り）の合計８通りのパターンが存在する（詳細は、表２で説明）。
以下、本実施形態では、８通りのパターンのうちのどの組み合わせかを示すため、８通りのパターンそれぞれにパターンＩＤ（Ｐ１〜Ｐ８）を付すと共に、「（発信者網の網種別）→（転送元網の網種別）→（転送先網の網種別）」という表記により、そのパターンが示す網種別を示す。
例えば、全てが交換網２であるパターンは、パターンＰ１（交換網→交換網→交換網）である。
別の例では、全てがＩＰ網１であるパターンは、パターンＰ８（ＩＰ網→ＩＰ網→ＩＰ網）である。
【００３３】
図２は、パターンＰ１（交換網→交換網→交換網）での転送手順の概要を示す説明図である。このパターンでは、発信者端末２４ａから転送元端末２４ｂ宛ての発呼（第１呼）が、転送元端末２４ｂから転送先端末２４ｃ宛ての発呼（第２呼）へと転送されることにより、発信者端末２４ａと転送先端末２４ｃとの通話を可能にする転送手順を示している。具体的には、以下の手順（１）〜手順（６）が順に実行される。
【００３４】
手順（１）発信者端末２４ａは、転送元端末２４ｂの電話番号をダイヤルして、発呼を開始する。
手順（２）加入者交換機２２ａは、収容する発信者端末２４ａからの発呼を受け、転送元端末２４ｂの電話番号を参照して、中継地点である中継交換機２１→加入者交換機２２ｂへとルーチングする。
手順（３）加入者交換機２２ｂは、受信した第１呼で指定されている転送元端末２４ｂの電話番号から、転送元端末２４ｂの加入者がＡＩＳ（Advance Info Service）転送契約加入者であると認識し、あらかじめ転送先として登録されている転送先端末２４ｃへ転送する（第２呼の発呼処理）。この転送に併せて、加入者交換機２２ｂは、配下のガイダンス装置２５に指示を出し、ガイダンス装置２５は、指示を受けて、発信者端末２４ａへの「〜そのままお待ちいただければ、連絡先の番号へおつなぎいたします〜」という転送案内ガイダンス（表３で後記するＧＤＳ−１）を送信する。
【００３５】
手順（４）加入者交換機２２ｃは、加入者交換機２２ｂから転送先端末２４ｃへの第２呼を受信すると、転送先端末２４ｃへとルーチングする。
手順（５）転送先端末２４ｃは、第２呼を受信すると、着信応答する。
手順（６）加入者交換機２２ｂは、第２呼の着信応答を転送先端末２４ｃから受けると、転送先端末２４ｃに「この電話は〜から転送されました」というガイダンス（表３で後記するＧＤＳ−２）を送信する、発信者端末２４ａにＧＤＳ−１が完了した旨を通知するガイダンス（表３で後記するＧＤＳ−３）を送信する。
そして、手順（６）での２つのガイダンスの再生が完了すると、加入者交換機２２ｂは、発信者端末２４ａから加入者交換機２２ｂへの第１呼と、加入者交換機２２ｂから転送先端末２４ｃへの第２呼とを接続することにより、発信者端末２４ａと転送先端末２４ｃとの通話を開始させる。
【００３６】
以上説明した３種類のガイダンス（ＧＤＳ−１、ＧＤＳ−２、ＧＤＳ−３）は、いずれも転送元網内の装置が送信元になる。例えば、転送元網が交換網２であるときには、加入者交換機２２ｂ配下のガイダンス装置２５がガイダンスを送信し、転送元網がＩＰ網１であるときには、加入者サーバ１２ｂ配下のＭＳ１６がガイダンスを送信する。
【００３７】
図３は、パターンＰ８（ＩＰ網→ＩＰ網→ＩＰ網）での転送手順の概要を示す説明図である。図３の転送手順は、図２の転送手順で実現していた転送サービスを最低限維持して、ユーザからは同等の転送サービスであるように見せることで、網種別がＩＰ網１であるか交換網２であるかを特に意識させることなく、ユーザが転送サービスを利用することができる。
よって、図３の転送手順（１）〜手順（６）は、図２の転送手順（１）〜手順（６）と同じである。なお、各ガイダンスを送信する装置がＭＳ１６からガイダンス装置２５へと置き換わり、発呼、着呼を担当する装置が、ＩＰ変換装置１３ａ、ＩＰ変換装置１３ｃへと置き換わっている。
ＩＰ変換装置１３ａ、ＩＰ変換装置１３ｃは、電話局内にてＩＰ化する装置である。
ＡＳ１５（Application Server）は、ＩＰ網１内の各種通信サービス制御を行う外付け装置である。ＡＳ１５は、発信者と転送先とを接続する。このＡＳ１５は、省略可能であり、ＡＳ１５を省略したときには、発信者と転送先とを接続する処理は、加入者サーバ１２ｂが実行する。つまり、ＡＳ１５は、転送元端末を収容する転送元網の加入者サーバが実行する各制御（ＭＳ制御、ＲＢＴ送出制御、および、転送制御）を代行する装置である。
ＭＳ１６（Media Server）は、ＡＳ１５の配下に収容されるサーバであり、各ガイダンスを送信する。
【００３８】
【表１】
2011109319.tif 000003
【００３９】
表１は、ＲＢＴ（Ring Back Tone）の送信ルールを示す。ＲＢＴとは、発呼した発信者の端末に対して、着信者を呼び出し中であることを通知するための可聴音信号である。このＲＢＴは、着信者が呼び出しに応答するまで送信されるため、ＲＢＴを送信するネットワークのリソースを使用し続ける。よって、ＲＢＴの通信経路を短くすることにより（換言すると、ＲＢＴの送信元の装置を発信者の端末に近づけることにより）、リソースの使用効率を節約することができる。
本実施形態では、発信者から転送元への第１呼に対するＲＢＴを「ＲＢＴ−１」とし、転送元から転送先への第２呼に対するＲＢＴを「ＲＢＴ−２」とし、その送信先は、共に発信者（発信者端末１４ａまたは発信者端末２４ａ）である。
【００４０】
ルールＲ１は、発呼側の交換網２から着呼側の交換網２への呼接続に対するＲＢＴが、着呼側の交換網２内に存在する加入者交換機から送信される旨のルールである。
ルールＲ２は、発呼側のＩＰ網１から着呼側の交換網２への呼接続に対するＲＢＴが、着呼側の交換網２内に存在する加入者交換機から送信される旨のルールである。
このルールＲ１，Ｒ２により、着呼側の加入者交換機から送信されるＲＢＴをそのまま利用することで、従来のＲＢＴ送信規則を守ることができる。
【００４１】
ルールＲ３は、発呼側の交換網２から着呼側のＩＰ網１への呼接続に対するＲＢＴが、着呼側のＩＰ網１と発呼側の交換網２との中継地点に存在する中継ＧＷ１１から送信される旨のルールである。これにより、発呼側の交換網２からはＲＢＴが着呼側のＩＰ網１から送信されるようにみえるので、従来のＲＢＴ送信規則を守ることができる。さらに、着呼側のＩＰ網１の境界位置に存在する中継ＧＷ１１からＲＢＴを送信することで、着呼側のＩＰ網１内のリソースの使用を最小限に抑えることができ、リソースの利用効率を高めることができる。
【００４２】
ルールＲ４は、発呼側のＩＰ網１から着呼側のＩＰ網１への呼接続に対するＲＢＴが、発呼側のＩＰ網１内に存在するＩＰ装置から送信される旨のルールである。これにより、発呼側のリソースをほとんど使用せず、着呼側網内のリソースを全く使用しないため、リソースの利用効率を大きく高めることができる。
【００４３】
【表２】
2011109319.tif 000004
【００４４】
表２は、発信者、転送元、転送先の網それぞれの網種別による８通りの組み合わせを示す。このように、それぞれの網種別が異なるのは、それぞれの網におけるＩＰ化の時期が異なることが原因である。そして、表２に示す８パターンについて、既存の交換網２への影響を及ぼさないようにＩＰ化を実施する必要がある。
パターンＰ１はすべて交換網の組み合わせであり、従来の転送サービスはこのパターン構成を前提に実現していた。一方、パターンＰ２〜Ｐ８は、少なくとも一部の網においてＩＰ化が実施されているパターンである。本実施形態では、ＩＰ化の実施度合いに応じて、リソース効率のよいＲＢＴの送信ルール（表１のＲ３やＲ４）を積極的に活用することにより、通信システムのＲＢＴ送信に関するリソース効率を高めることができる。なお、送信ルール列の括弧内は、ＲＢＴを送信する装置を示す。
例えば、パターンＰ４では、第１呼へのＲＢＴ−１をルールＲ３で送信（発信者網と接続するための中継ＧＷ１１（発側）から送信）することにより、リソース効率をよくする。さらに、第２呼へのＲＢＴ−２をルールＲ４で送信（転送元網に位置するＭＳ１６から送信）することにより、リソース効率をさらによくする。
【００４５】
【表３】
2011109319.tif 000005
【００４６】
表３は、後記する図５以降の各フローチャートで表記される通信メッセージの内容を示す。これらのメッセージは、プロトコルに分類される。
ＩＳＵＰ（ISDN User Part）は、交換網２で使用されるＳＳ７（Common Channel Signaling System No.7）のプロトコルであり、呼制御を実現する。
「交換機」のプロトコルは、交換網２で使用される電話の制御信号である。
「ユーザ通知」のプロトコルは、前記したように、人間（ユーザ）への情報通知を目的とした信号である。
ＳＩＰ（Session Initiation Protocol）は、ＩＰ網１で使用されるプロトコルであり、呼制御を実現する。ＳＩＰ要求に対して、ＳＩＰ応答が返される。
【００４７】
図４は、各パターンの転送手順の概要を示すフローチャートである。このフローチャートは、あくまで各パターンに共通する概要の処理を示すことを目的としており、各通信メッセージの送信および受信する単位は、網（発信網、転送元網、転送先網）である。送信および受信する単位を装置とするパターン別の転送手順の詳細については、図５以降で説明する。
【００４８】
Ｓ１１において、発信網の発信者が転送元の電話番号をダイヤルすると、ダイヤル番号で指示された転送元電話番号へ第１呼の接続要求を送信する。
Ｓ１２において、発信者の端末に対し、第１呼の呼び出し中通知（ＲＢＴ−１）が返信される。このＲＢＴ−１の送信元の装置は、表１で示したように、発信網および転送元網の網種別により、ルールＲ１〜Ｒ４の４通りのいずれか（交換機から送信、中継ＧＷから送信、ＩＰ装置から送信）が適用される。
Ｓ１３において、転送元網では、第１呼で指定された転送元の電話番号が、転送対象電話番号であることを検出する。この検出処理は、転送対象電話番号のリストから転送元の電話番号を検索することにより、実現される。なお、転送対象電話番号のリストは、ユーザ（移転者、緊急避難者）が転送サービスを申し込んだときに、転送対象電話番号のリストに、転送元の電話番号および転送先の電話番号の組の情報を登録しておくことにより生成される。
Ｓ１４において、転送元網から発信網の発信者に対して、第１呼の転送ガイダンス（ＧＤＳ−１）を通知する。この通知により、発信者は、転送サービスが使用されていることを把握できる。ＧＤＳ−１の送信については、図２の手順（３）でも説明した。
【００４９】
Ｓ２１において、転送元網は、ＧＤＳ−１の送信終了を契機に、転送対象電話番号のリストに登録されている転送先の電話番号を送信先として、転送先への第２呼の接続を要求する。
Ｓ２２において、発信者の端末に対し、第２呼の呼び出し中通知（ＲＢＴ−２）が返信される。このＲＢＴ−２の送信元の装置は、Ｓ１２と同様に、ルールＲ１〜Ｒ４の４通りのいずれかが適用される。
Ｓ２３において、転送先の着信者が第２呼に応答する。
Ｓ２４において、Ｓ２３の応答が、転送元網へ（必要に応じて、発信網へも）通知される。
Ｓ２５において、転送元網は、着信者に対して第２呼の転送ガイダンス（ＧＤＳ−２）を通知する。
【００５０】
Ｓ３１において、転送元網は、転送先網に対して、転送による着呼を示す第２呼の転送ガイダンス（ＧＤＳ−２）を送信する。ＧＤＳ−２の送信については、図２の手順（６）でも説明した。
Ｓ３２において、転送元網は、発信網に対して、転送が完了したことを示す転送完了ガイダンス（ＧＤＳ−３）を送信する。ＧＤＳ−３の送信については、図２の手順（６）で説明した。
Ｓ４０において、各ガイダンス（ＧＤＳ−２、ＧＤＳ−３）の送信終了を契機に、発信者（発信網）と転送先（着信者）とを接続することにより、通話を開始させる。
【００５１】
なお、各ガイダンスの送信処理（ＧＤＳ−１、ＧＤＳ−２、ＧＤＳ−３）について、発信者や応答者などの利用者の契約などにより、少なくとも１つのガイダンスの送信処理を省略してもよい。発信者端末１４ａ、発信者端末２４ａへのガイダンス（ＧＤＳ−１、ＧＤＳ−３）を省略するときには、その代わりに発信者端末１４ａ、発信者端末２４ａへのＲＢＴ−１を継続する。
【００５２】
ここで、図４のフローチャート（他のフローチャートも同様）で、矢印の送信先が左にはみ出しているメッセージ（ＲＢＴ−１、ＲＢＴ−２、ＧＤＳ−１、ＧＤＳ−３）は、送信先が発信者端末（発信者端末１４ａ、発信者端末２４ａ）であることを示す。
同様に、図４のフローチャート（他のフローチャートも同様）で、矢印の送信先が右にはみ出しているメッセージ（ＧＤＳ−２）は、送信先が発信者端末（転送先端末１４ｃ、転送先端末２４ｃ）であることを示す。
【００５３】
以下、図４で説明した転送手順の概要に従って、図５以降でパターン別の転送手順の詳細を説明する。なお、この詳細を説明するフローチャートにおいて、図４の処理ステップ（Ｓ１２など）を示すことにより、概要説明と詳細説明との対応を示す。
【００５４】
図５は、パターンＰ１（交換網→交換網→交換網）での転送手順を示すフローチャートである。
加入者交換機２２ｂは、受信した着呼についてのＲＢＴ−１を自装置から送出することを通知するためのＣＰＧを送信した後に、そのＲＢＴ−１の送信を開始する（Ｓ１２）。そして、加入者交換機２２ｂは、受信した着呼について転送検出すると（Ｓ１３）、発信者端末２４ａに返していたＲＢＴ−１を、ＧＤＳ−１に切り替えて送信し（Ｓ１４）、このＧＤＳ−１の送信終了を待って、転送先を呼び出し、加入者交換機２２ｃからＲＢＴ−２を発信者に返す（Ｓ２２）。
加入者交換機２２ｂは、転送先端末２４ｃの応答があると（Ｓ２３）、転送先端末２４ｃにＧＤＳ−２を送信し（Ｓ３１）、発信者端末２４ａにＧＤＳ−３を送信し（Ｓ３２）、これらのガイダンスの送信が完了した後、第１呼と第２呼とを接続して発信者端末２４ａと転送先端末２４ｃの通話（Ｓ４０）を実現する。
【００５５】
図６は、パターンＰ２（交換網→交換網→ＩＰ網）での転送手順を示すフローチャートである。
中継ＧＷ１１は、転送先への第２呼をＩＰ網１の信号手順に変換し、ＩＮＶＩＴＥ（中継ＧＷ１１の情報を含む）として送信する。そのＩＮＶＩＴＥへの応答（Ｓ２３）として、Ringing（転送先端末２４ｃの情報を含む）が返信された後、ＲＢＴ−２の送信（Ｓ２２）にルールＲ３を適用する。これにより、ＲＢＴ−２は、転送先の中継ＧＷ１１から送信され（Ｓ２２）、加入者交換機２２ｂを経由して発信者端末２４ａに送られる。
【００５６】
図７は、パターンＰ３（交換網→ＩＰ網→交換網）での転送手順の前半を示すフローチャートである。
中継ＧＷ１１（発側）は、加入者サーバ１２ｂに対して、ＩＮＶＩＴＥ（中継ＧＷ１１（発側）の情報を含む）を送信する。ＲＢＴ−１は、ルールＲ３を適用し、中継ＧＷ１１（発側）から発信者端末２４ａに送信される（Ｓ１２）。
Ｓ１３の転送検出の後、加入者サーバ１２ｂは、ＭＳ１６に対して、発信者にＧＤＳ−１の送信を指示するためのＩＮＶＩＴＥ（中継ＧＷ１１（発側）の情報が含まれる）を送り、ＯＫ（ＭＳ１６の情報を含む）が返信されると、Session Progress（ＭＳ１６の情報を含む）を中継ＧＷ１１（発側）に送信する。
これにより、発信者端末２４ａとＭＳ１６との間の通話路が確立し、その後、加入者サーバ１２ｂがＭＳ１６にＩＮＦＯ（ガイダンスＧＤＳ−１の送信指示を含む）を通知する。ＭＳ１６はその応答としてＯＫを返信するとともに、発信者端末２４ａに対し、ＧＤＳ−１を送信する（Ｓ１４）。
加入者サーバ１２ｂは、ＭＳ１６からＧＤＳ−１の送信完了を示すＩＮＦＯ（ガイダンス通知を含む）が通知されると、転送先側の中継ＧＷ１１（着側）経由して、転送先を呼び出すため、ＩＮＶＩＴＥ（中継ＧＷ１１（発側）の情報を含む）を送信する。
中継ＧＷ１１（着側）は、加入者交換機２２ｃからの呼び出し中信号（ＡＣＭ）を受けると、Session Progress（中継ＧＷ１１（着側）の情報を含む）を加入者サーバ１２ｂに戻す。
加入者サーバ１２ｂは、ＲＢＴ−２は加入者交換機２２ｃから送信されると判断し、ＲＢＴ−２を中継ＧＷ１１（着側）、中継ＧＷ１１（発側）を経由して発信側に送るように、ＵＰＤＡＴＥ（中継ＧＷ１１（着側）の情報を含む）でＲＢＴ送信経路を設定する。
【００５７】
図８は、パターンＰ３（交換網→ＩＰ網→交換網）での転送手順の後半を示すフローチャートである。
加入者サーバ１２ｂは、転送先からの応答（Ｓ２３）が中継ＧＷ１１（着側）を経由してＯＫ（中継ＧＷ１１（着側）の情報を含む）により通知されると、ＭＳ１６に対してＩＮＶＩＴＥ（中継ＧＷ１１（着側）の情報を含む）を送り、ＭＳ１６と中継ＧＷ１１（着側）との間の通話パス確立のための制御を開始する。また、加入者サーバ１２ｂはＵＰＤＡＴＥ（ＭＳ１６の情報を含む）を中継ＧＷ１１（着側）に送り、その応答としてＯＫを受信することにより、ＭＳ１６と中継ＧＷ１１（着側）との間の通話路が確立される。
一方、加入者サーバ１２ｂは、ＵＰＤＡＴＥ（ＭＳ１６の情報を含む）を中継ＧＷ１１（発側）に送り、再度、ＭＳ１６と中継ＧＷ１１（発側）との間の通話路が確立される。
その後、加入者サーバ１２ｂは、ＭＳ１６に対して、転送先にＧＤＳ−２の送信を指示するＩＮＦＯ、発信側にＧＤＳ−３の送信を指示するＩＮＦＯをそれぞれ送る。加入者サーバ１２ｂは、これらのＩＮＦＯへの返信として、ＭＳ１６からＯＫを受信する。
加入者サーバ１２ｂは、ＭＳ１６からＧＤＳ−２およびＧＤＳ−３の送信完了を示すＩＮＦＯ（ガイダンス通知を含む）がそれぞれ通知されると、中継ＧＷ１１（着側）にＵＰＤＡＴＥ（中継ＧＷ１１（発側）の情報を含む）を通知し、中継ＧＷ１１（発側）にＵＰＤＡＴＥ（中継ＧＷ１１（着側）の情報を含む）を通知することで、通話（Ｓ４０）を実施させる。また、加入者サーバ１２ｂは、ＧＤＳ−２およびＧＤＳ−３のためのＭＳ１６のリソースを解放するために、ＭＳ１６に対し、それぞれＢＹＥを送信する。
【００５８】
図９は、パターンＰ４（交換網→ＩＰ網→ＩＰ網）での転送手順の前半を示すフローチャートである。
加入者サーバ１２ｂは、中継ＧＷ１１を経由して、着呼のＩＮＶＩＴＥ（中継ＧＷ１１の情報を含む）が通知されると、転送検出する（Ｓ１３）。
加入者サーバ１２ｂは、ＭＳ１６に対して、発信者にＧＤＳ−１の送信を指示するＩＮＶＩＴＥ（中継ＧＷ１１の情報を含む）を送り、ＯＫ（ＭＳ１６の情報を含む）が応答されると、Session Progress（ＭＳ１６の情報を含む）を中継ＧＷ１１に送信する。
これにより、発信者端末２４ａとＭＳ１６との間の通話路が確立し、その後、加入者サーバ１２ｂがＭＳ１６にＩＮＦＯ（ガイダンスＧＤＳ−１の送信指示を含む）を通知する。ＭＳ１６はその応答としてＯＫを返信するとともに、発信者端末２４ａに対し、ＧＤＳ−１を送信する（Ｓ１４）。
加入者サーバ１２ｂは、ＭＳ１６からＧＤＳ−１の送信完了がＩＮＦＯにより通知されると、中継ＧＷ１１に対して、ＵＰＤＡＴＥ（inactiveの情報を含む）を送信し、その応答（ＯＫ）を受信してから、ＩＮＶＩＴＥ（中継ＧＷ１１の情報を含む）により、転送先を呼び出す。
加入者サーバ１２ｂは、転送先呼び出し中を示す通常のRingingを受けると、ＭＳ１６からのＲＢＴ−２の送信を判断し、ＩＮＦＯによりＭＳ１６にＧＤＳ−１の送信を、ＲＢＴ−２の送信に切り替える旨を指示し、その応答としてＯＫ（ＭＳ１６の情報を含む）を受信する。
【００５９】
図１０は、パターンＰ４（交換網→ＩＰ網→ＩＰ網）での転送手順の後半を示すフローチャートである。
加入者サーバ１２ｂは、転送先からの応答（Ｓ２３）がＯＫ（転送先の情報を含む）により通知されると、そのＯＫを発信側へと転送するとともに、ＭＳ１６に対して、転送先にＧＤＳ−２の送信を指示するＩＮＶＩＴＥ（転送先の情報を含む）を送り、ＭＳ１６と加入者サーバ１２ｃとの間の通話パス確立のための制御を開始する。また、加入者サーバ１２ｂはＵＰＤＡＴＥ（ＭＳ１６の情報を含む）を加入者サーバ１２ｃに送り、その応答としてＯＫを受信することにより、ＭＳ１６とＩＰ変換装置１３ｃとの間の通話路が確立される。
一方、加入者サーバ１２ｂは、ＵＰＤＡＴＥ（ＭＳ１６の情報を含む）を中継ＧＷ１１（発側）に送り、再度、ＭＳ１６と中継ＧＷ１１（発側）との間の通話路が確立される。
その後、加入者サーバ１２ｂは、ＭＳ１６に対して、転送先にＧＤＳ−２の送信を指示するＩＮＦＯ、発信側にＧＤＳ−３の送信を指示するＩＮＦＯをそれぞれ送る。加入者サーバ１２ｂは、これらのＩＮＦＯへの返信として、ＭＳ１６からＯＫを受信する。
加入者サーバ１２ｂは、ＭＳ１６からＧＤＳ−２およびＧＤＳ−３の送信完了を示すＩＮＦＯ（ガイダンス通知を含む）がそれぞれ通知されると、加入者サーバ１２ｃにＵＰＤＡＴＥ（中継ＧＷ１１（発側）の情報を含む）を通知し、中継ＧＷ１１（発側）にＵＰＤＡＴＥ（ＩＰ変換装置１３ｃの情報を含む）を通知することで、通話（Ｓ４０）を実施させる。また、加入者サーバ１２ｂは、ＧＤＳ−２およびＧＤＳ−３のためのＭＳ１６のリソースを解放するために、ＭＳ１６に対し、それぞれＢＹＥを送信する。
【００６０】
図１１は、パターンＰ５（ＩＰ網→交換網→交換網）での転送手順を示すフローチャートである。
中継ＧＷ１１は、発呼を示すＩＮＶＩＴＥ（発信者側の情報を含む）を受信し、その発呼についてのＲＢＴ−１（Ｓ１２）が加入者交換機２２ｂから送出されることを通知するためのＣＰＧを受信した後に、Session Progress（中継ＧＷ１１の情報を含む）を返信し、ＩＮＶＩＴＥをＩＡＭに変換して、転送元の交換網（加入者交換機２２ｂ）に送信する。ＲＢＴ−１が加入者交換機２２ｂから返された後は、転送元および転送先が交換網のため、パターンＰ１と同様の動作となる。なお、中継ＧＷ１１が２回目に受信するＣＰＧは、ＲＢＴ−２（Ｓ２２）が加入者交換機２２ｃから送出されることを通知するためのＣＰＧである。
【００６１】
図１２は、パターンＰ６（ＩＰ網→交換網→ＩＰ網）での転送手順を示すフローチャートである。
中継ＧＷ１１（発側）は、発呼を示すＩＮＶＩＴＥ（発信者側の情報を含む）を受信すると、Session Progress（中継ＧＷ１１（発側）の情報を含む）を返信し、ＩＮＶＩＴＥをＩＡＭに変換して、転送元の交換網（加入者交換機２２ｂ）に送信する。ＲＢＴ−１が加入者交換機２２ｂから返された後は、転送元が交換網のため、パターンＰ１と同様の動作を行う。
中継ＧＷ１１（着側）は、転送先への着呼（ＩＡＭ）をＩＰ網の信号手順であるＩＮＶＩＴＥ（中継ＧＷ１１（着側））に変換して、ＩＰ変換装置１３ｃに送信し、その応答としてＯＫ（転送先の情報を含む）を受信する。なお、この際、ＲＢＴ−２は、中継ＧＷ１１（着側）が送信する（Ｓ２２）。
【００６２】
図１３は、パターンＰ７（ＩＰ網→ＩＰ網→交換網）での転送手順の前半を示すフローチャートである。
加入者サーバ１２ｂは、ＩＰ網基本呼の信号シーケンスにより、ＩＮＶＩＴＥ（発信者側の情報を含む）の着呼が通知され、転送検出すると（Ｓ１３）、ＭＳ１６に対して、発信者にＧＤＳ−１の送信を指示するＩＮＶＩＴＥ（発信者側の情報を含む）を送り、その応答としてＯＫ（ＭＳ１６の情報を含む）を得る。
ＭＳ１６は、加入者サーバ１２ａを経由して、ＩＰ変換装置１３ａにＭＳ１６からのガイダンス送信をSession Progress（ＭＳ１６の情報を含む）で通知する。
これにより、発信者端末２４ａとＭＳ１６との間の通話路が確立し、その後、加入者サーバ１２ｂがＭＳ１６にＩＮＦＯ（ガイダンスＧＤＳ−１の送信指示を含む）を通知する。ＭＳ１６はその応答としてＯＫを返信するとともに、発信者端末２４ａに対し、ＧＤＳ−１を送信する（Ｓ１４）。
加入者サーバ１２ｂは、ＭＳ１６からＧＤＳ−１の送信完了がＩＮＦＯにより通知されると、転送先側の中継ＧＷ１１を経由して、ＩＮＶＩＴＥ（発信者側の情報を含む）で転送先を呼び出す。
中継ＧＷ１１は、加入者交換機２２ｃからのＡＣＭを受けると、Session Progress（自中継ＧＷ１１の情報を含む）を加入者サーバ１２ｂに戻す。
加入者サーバ１２ｂは、ＲＢＴ−２が加入者交換機２２ｃから送信されると判断し、ＲＢＴ−２を発信側に送るようにＲＢＴ送信経路を設定するため、ＵＰＤＡＴＥ（中継ＧＷ１１の情報を含む）をＩＰ変換装置１３ａに送信し、その応答（ＯＫ）を受信する。
【００６３】
図１４は、パターンＰ７（ＩＰ網→ＩＰ網→交換網）での転送手順の後半を示すフローチャートである。
加入者サーバ１２ｂは、転送先からの応答（Ｓ２３）が中継ＧＷ１１を経由してＯＫ（中継ＧＷ１１の情報を含む）により通知されると、ＭＳ１６に対してＩＮＶＩＴＥ（中継ＧＷ１１の情報を含む）を送り、ＭＳ１６と中継ＧＷ１１との間の通話路が確立される。
一方、加入者サーバ１２ｂは、ＵＰＤＡＴＥ（ＭＳ１６の情報を含む）を加入者サーバ１２ａに送り、再度、ＭＳ１６とＩＰ変換装置１３ａとの間の通話路が確立される。
加入者サーバ１２ｂは、ＭＳ１６に対して、転送先にＧＤＳ−２の送信を指示するＩＮＦＯ、発信側にＧＤＳ−３の送信を指示するＩＮＦＯをそれぞれ送る。加入者サーバ１２ｂは、これらのＩＮＦＯへの返信として、ＭＳ１６からＯＫを受信する。
加入者サーバ１２ｂは、ＭＳ１６からＧＤＳ−２およびＧＤＳ−３の送信完了を示すＩＮＦＯ（ガイダンス通知を含む）がそれぞれ通知されると、中継ＧＷ１１にＵＰＤＡＴＥ（ＩＰ変換装置１３ａの情報を含む）を通知し、加入者サーバ１２ａにＵＰＤＡＴＥ（中継ＧＷ１１の情報を含む）を通知することで、通話（Ｓ４０）を実施させる。
また、加入者サーバ１２ｂは、ＧＤＳ−２およびＧＤＳ−３のためのＭＳ１６のリソースを解放するために、ＭＳ１６に対し、それぞれＢＹＥを送信する。
【００６４】
図１５は、パターンＰ８（ＩＰ網→ＩＰ網→ＩＰ網）での転送手順の前半を示すフローチャートである。
加入者サーバ１２ｂは、ＩＰ網基本呼の信号シーケンスによりＩＮＶＩＴＥ（発信者側の情報を含む）の着呼が通知され、転送検出すると（Ｓ１３）、ＭＳ１６に対して、発信者にＧＤＳ−１の送信を指示するＩＮＶＩＴＥ（発信者側の情報を含む）を送り、応答としてＯＫ（ＭＳ１６の情報を含む）を受信すると、Session Progress（ＭＳ１６の情報を含む）を発信者側に戻す。
これにより、発信者端末２４ａとＭＳ１６との間の通話路が確立し、その後、加入者サーバ１２ｂがＭＳ１６にＩＮＦＯ（ガイダンスＧＤＳ−１の送信指示を含む）を通知する。ＭＳ１６はその応答としてＯＫを返信するとともに、発信者端末２４ａに対し、ＧＤＳ−１を送信する（Ｓ１４）。
加入者サーバ１２ｂは、ＭＳ１６からＧＤＳ−１の送信完了がＩＮＦＯにより通知されると、ＩＰ網基本呼の信号シーケンスにより、転送先をＩＮＶＩＴＥ（発信者側の情報を含む）で呼び出し、転送先呼び出し中を示す通常のRingingを受ける。
加入者サーバ１２ｂは、ＭＳ１６からのＲＢＴ−２の送信を判断し、ＩＮＦＯによりＭＳ１６に発側へのＧＤＳ−１の送信をＲＢＴ−２に切り替えての送信（Ｓ２２）を指示する。
【００６５】
図１６は、パターンＰ８（ＩＰ網→ＩＰ網→ＩＰ網）での転送手順の後半を示すフローチャートである。
加入者サーバ１２ｂは、転送先からの応答がＯＫ（転送先側の情報を含む）により通知されると、ＭＳ１６に対して、転送先にＧＤＳ−２の送信を指示するＩＮＶＩＴＥ（転送先側の情報を含む）を送信し、ＭＳ１６とＩＰ変換装置１３ｃとの間の通話パス確立のための制御を開始する。
一方、加入者サーバ１２ｂは、ＵＰＤＡＴＥ（ＭＳ１６の情報を含む）を加入者サーバ１２ａに送り、再度、ＭＳ１６とＩＰ変換装置１３ａとの間の通話路が確立される。
加入者サーバ１２ｂは、ＭＳ１６に対して、転送先にＧＤＳ−２の送信を指示するＩＮＦＯ、発信側にＧＤＳ−３の送信を指示するＩＮＦＯをそれぞれ送る。加入者サーバ１２ｂは、これらのＩＮＦＯへの返信として、ＭＳ１６からＯＫを受信する。
加入者サーバ１２ｂは、ＭＳ１６からＧＤＳ−２およびＧＤＳ−３の送信完了を示すＩＮＦＯ（ガイダンス通知を含む）がそれぞれ通知されると、加入者サーバ１２ｃにＵＰＤＡＴＥ（ＩＰ変換装置１３ａの情報を含む）を通知し、加入者サーバ１２ａにＵＰＤＡＴＥ（ＩＰ変換装置１３ｃの情報を含む）を通知することで、通話（Ｓ４０）を実施させる。
また、加入者サーバ１２ｂは、ＧＤＳ−２およびＧＤＳ−３のためのＭＳ１６のリソースを解放するために、ＭＳ１６に対し、それぞれＢＹＥを送信する。
【００６６】
以上、パターンＰ１〜Ｐ８のパターン別に、転送手順の詳細を説明した。これらの転送手順では、転送元における転送機能を実現する装置は、加入者サーバ１２ｂおよびＭＳ１６である。
一方、以下に説明するフローチャートでは、転送機能を実現する装置は、加入者サーバ１２ｂおよびＭＳ１６に加え、その加入者サーバ１２ｂが収容するＡＳ１５である。ＡＳ１５が加入者サーバ１２ｂに通知するメッセージの方式は、以下の２方式が挙げられる。
【００６７】
メッセージの方式（１）：Ｒｅ−ＩＮＶＩＴＥで通知する（図１７〜図１９で説明）。このとき、ＡＳ１５は、発信者端末１４ａを収容する発信者網の装置に対して転送先情報を送信し、転送先端末１４ｃを収容する転送先網の装置に対して発信者情報を送信することで、第１呼の転送を指示する。なお、図１７〜図１９で説明する「Ｒｅ−ＩＮＶＩＴＥ」を「ＵＰＤＡＴＥ」に置き換えてもよい。
【００６８】
メッセージの方式（２）：ＲＥＦＥＲで通知する（図１７，図１８で説明する「Ｒｅ−ＩＮＶＩＴＥ」を「ＲＥＦＥＲ」に置き換え、図１９を図２０に置き換える）。このとき、ＡＳ１５は、転送元端末１４ｂを収容する転送元網の加入者サーバに対して、ＳＩＰのＲＥＦＥＲメッセージを送信し、加入者サーバ１２ｂがＡＳ１５に代わって、発信者端末１４ａを収容する発信者網の装置に対してＵＰＤＡＴＥを送信し、転送先端末１４ｃを収容する転送先網の装置に対してＲｅ−ＩＮＶＩＴＥあるいはＵＰＤＡＴＥを送信することで、第１呼の転送を指示する。
【００６９】
なお、Ｒｅ−ＩＮＶＩＴＥとＵＰＤＡＴＥとは、接続先を変更するために使用する点で共通するが、以下の相違点がある。
Ｒｅ−ＩＮＶＩＴＥは、ＯＫ（ＩＮＶＩＴＥへの返答）送出後のみ使用可能である。ＵＰＤＡＴＥはＯＫ（ＩＮＶＩＴＥへの返答）送出の前後どちらでも使用可能である。したがって、Ｒｅ−ＩＮＶＩＴＥ方式でも、発側に対してＭＳから着側に繋ぎ変えに用いるのは、ＵＰＤＡＴＥとなる。
【００７０】
図１７は、パターンＰ８でＡＳ１５を用いるＲＥ−ＩＮＶＩＴＥ方式の第１呼接続シーケンスを示すフローチャートである。
加入者サーバ１２ｂは、ＩＰ網基本呼の信号シーケンスによりＩＮＶＩＴＥの受信で着呼が通知されると、ＩＮＶＩＴＥの送信によりＡＳ１５に転送サービスの実行を指示する。
ＡＳ１５は、ＭＳ１６に対して、ＧＤＳ−１の送信を指示するＩＮＶＩＴＥを送り、ＭＳ１６からＯＫを受け取る。ＡＳ１５は、ガイダンスの再生後に発信側が接続先をＭＳ１６から転送先に切替ることに備え、この切替の指示をSession Progressに変換し、加入者サーバ１２ｂに応答する。
加入者サーバ１２ｂは、加入者サーバ１２ａを経由して、発側ＩＰ変換装置にＭＳ１６からのガイダンス送信をSession Progressで通知する。
ＩＰ変換装置１３ａは、オプションの機能として、ＰＲＡＣＫでガイダンスを確実に受信できる状態にあることを加入者サーバ１２ｂ経由で、ＡＳ１５に通知することもできる。なお、ＰＲＡＣＫは、ＡＳ１５が存在する方式だけに出てくるシーケンスではなく、ＡＳ１５が存在しない方式でもＧＤＳ−１前に登場できる。ＰＲＡＣＫは、ＩＰ変換装置１３ａがＧＤＳ−１を受ける準備ができたことを通知するためのものである。
ＭＳ１６は、ＧＤＳ−１の送信指示を含むＩＮＦＯを受信すると、発信者端末１４ａへのＧＤＳ−１の送信を実施し、ガイダンスの送信を完了するとＩＮＦＯによりＡＳ１５に通知する。
【００７１】
図１８は、パターンＰ８でＡＳ１５を用いるＲＥ−ＩＮＶＩＴＥ方式の第２呼接続シーケンスを示すフローチャートである。
ＡＳ１５は、ＩＮＶＩＴＥによりＭＳ１６に転送先への接続準備を指示し、準備完了の応答（ＯＫ）を得てから、ＡＣＫを返答する。
ＡＳ１５は、ＩＮＶＩＴＥにより加入者サーバ１２ｂに転送先の呼び出しを指示する。そのＩＮＶＩＴＥは、加入者サーバ１２ｂから加入者サーバ１２ｃを経由して、ＩＰ変換装置１３ｃに到着する。
ＡＳ１５は、加入者サーバ１２ｂから、転送先呼び出し中を示す通常のRingingを受けると、ＭＳ１６からのＲＢＴ−２の送信を判断し、ＩＮＦＯによりＭＳ１６にＧＤＳ−１の送信からＲＢＴ−２の送信（Ｓ２２）への切り替えを指示する。
ＡＳ１５は、転送先からの応答がＯＫにより通知されると、２つのＩＮＦＯをＭＳ１６に送信する。１つめのＩＮＦＯは、ＧＤＳ−２の送信（Ｓ３１）を指示する旨のＩＮＦＯであり、２つめのＩＮＦＯは、ＲＢＴ−２の送信からＧＤＳ−３の送信（Ｓ３２）への切り替えを指示するＩＮＦＯである。
【００７２】
図１９は、パターンＰ８でＡＳ１５を用いるＲＥ−ＩＮＶＩＴＥ方式の第１呼および第２呼の相互接続シーケンスを示すフローチャートである。
ＭＳ１６は、ＩＮＦＯによりＧＤＳ−２、ＧＤＳ−３の送信完了をＡＳ１５に通知する。
ＡＳ１５は、Ｒｅ−ＩＮＶＩＴＥにより、加入者サーバ１２ｂを経由して加入者サーバ１２ｃに、ＳＤＰ（Session Description Protocol）での発側情報を通知し、その応答（ＯＫ）でＳＤＰでの転送先情報を返す。さらに、ＡＳ１５は、接続先を変更するためのＵＰＤＡＴＥを送信して、その返答であるＯＫを受信し、ＯＫ（ＩＮＶＩＴＥの情報を含む）を送信する。これにより、発側と転送先との直接通信（Ｓ４０の通話）を実施させる。
【００７３】
図２０は、パターンＰ８でＡＳ１５を用いるＲＥＦＥＲ方式の第１呼および第２呼の相互接続シーケンスを示すフローチャートである。
ＭＳ１６は、ＩＮＦＯによりＧＤＳ−２、ＧＤＳ−３の送信完了をＡＳ１５に通知する。
ＡＳ１５は、ＲＥＦＥＲにより、加入者サーバ１２ｂに第１呼と第２呼の相互接続を指示し、その応答（Accepted）を得る。そして、ＡＳ１５は、ＢＹＥにより、ＭＳ１６および加入者サーバ１２ｂを解放する。
加入者サーバ１２ｂは、ＮＯＴＩＦＹで指示受付の応答を行う。加入者サーバ１２ｂは、加入者サーバ１２ｃにＩＮＶＩＴＥを送信して発側情報を通知させ、その応答（ＯＫ）で転送先情報を返すことにより、発側と転送先との直接通信（Ｓ４０の通話）を実施させる。
このＲＥＦＥＲ方式の場合、加入者サーバ１２ｂは、通話終了のＮＯＴＩＦＹにより通話接続が完了したこと通知する。
【００７４】
以上説明した本実施形態では、ＩＰ網１と交換網２とが混在している場合に、転送サービスが網種別に関係なくユーザに提供できる（換言すると、ユーザに網種別を意識させずに転送サービスを提供できる）という効果、および、既存の交換網２の構成や動作に影響を与えずに済むという効果は、各パターンに共通する。
さらに、ＩＰ網１のＲＢＴ送信時のリソース節約効果を、適用できる部分と適用できない部分とに細分化（パターン別の処理）し、適用できる部分に最大限適用することによって、通信システム全体でのリソース効率を高めることができる。
【符号の説明】
【００７５】
１      ＩＰ網
２      交換網
１１    中継ＧＷ
１２ａ  加入者サーバ（発信者網に収容）
１２ｂ  加入者サーバ（転送元網に収容）
１２ｃ  加入者サーバ（転送先網に収容）
１３ａ  ＩＰ変換装置（発信者網に収容）
１３ｂ  ＩＰ変換装置（転送元網に収容）
１３ｃ  ＩＰ変換装置（転送先網に収容）
１４ａ  発信者端末（ＩＰ網に収容）
１４ｂ  転送元端末（ＩＰ網に収容）
１４ｃ  転送先端末（ＩＰ網に収容）
１５    ＡＳ
１６    ＭＳ
２１    中継交換機
２２ａ  加入者交換機（発信者網に収容）
２２ｂ  加入者交換機（転送元網に収容）
２２ｃ  加入者交換機（転送先網に収容）
２４ａ  発信者端末（交換網に収容）
２４ｂ  転送元端末（交換網に収容）
２４ｃ  転送先端末（交換網に収容）
２５    ガイダンス装置
【図１】
2011109319.tif 000006
【図２】
2011109319.tif 000007
【図３】
2011109319.tif 000008
【図４】
2011109319.tif 000009
【図５】
2011109319.tif 000010
【図６】
2011109319.tif 000011
【図７】
2011109319.tif 000012
【図８】
2011109319.tif 000013
【図９】
2011109319.tif 000014
【図１０】
2011109319.tif 000015
【図１１】
2011109319.tif 000016
【図１２】
2011109319.tif 000017
【図１３】
2011109319.tif 000018
【図１４】
2011109319.tif 000019
【図１５】
2011109319.tif 000020
【図１６】
2011109319.tif 000021
【図１７】
2011109319.tif 000022
【図１８】
2011109319.tif 000023
【図１９】
2011109319.tif 000024
【図２０】
2011109319.tif 000025